【事件の表示】
　平成　５年特許願第１２５０３１号「ＬＥＤモジュール」拒絶査定に対する審判事件［平成　６年１１月　８日出願公開、特開平　６−３１４８２４］について、次のとおり審決する。
【結　論】
　本件審判の請求は、成り立たない。
【理　由】
１．手続の経緯、本願発明
　本願は、平成５年４月２８日の出願であって、その請求項１及び２に係る発明は、平成１３年７月９日付け及び平成１３年１２月１２日付けの手続補正書により補正された明細書及び図面の記載からみて、その特許請求の範囲の請求項１及び２に各々記載されたとおりのものと認められるところ、請求項１に係る発明（以下、本願発明という）は次のとおりである。
　「リードフレームを用いて構成された電気接続のためのリード端子を有する多色ＬＥＤが、マトリックス状に高密度実装されたＬＥＤモジュールにおいて、
　前記多色ＬＥＤが前記リード端子を４本以上有した光の三原色を含む３色以上のＬＥＤチップから成り、
　前記多色ＬＥＤの各々が、前記リード端子をリードフレームの板厚方向に、交互に反対方向に折り曲げて先端部分の平行間隔を広くしたものであることを特徴とするＬＥＤモジュール。」
　　　　
２．引用例に記載の発明
　原査定の拒絶理由に引用され、本願出願前に頒布された刊行物である特開平５−３７０２６号公報（以下、引用例という）には、次のように記載されている。
　「【０００１】【産業上の利用分野】この発明は、２個以上のＬＥＤチップを１つのパッケージに封止したＬＥＤランプ及びこれを使用したＬＥＤ表示器とＬＥＤディスプレイパネルに関する。
【０００２】【従来の技術】一般に、ＬＥＤディスプレイパネルはパネルに縦，横，或いは縦横に複数のＬＥＤ表示器が配置されてなっているが、このＬＥＤ表示器は図５に示すように、プリント基板２１に複数のＬＥＤランプ２２が縦横のマトリクス状（例えば４×４ドット）に配置されてなっている。図中の符号２３はマスクである。
【０００３】ところでＬＥＤランプ２２は、従来、図６及び図７に示すように構成され、赤色ＬＥＤチップ２４と緑色ＬＥＤチップ２５からなる２個のＬＥＤチップを有している。各ＬＥＤチップ２４，２５はマウント用導出リード２６のＬＥＤマウント部２７に固着され、このマウント用導出リード２６の両側に位置するボンディング用導出リード２８，２９にボンディングワイヤ３０，３１により接続されている。尚、図６中の符号３２は封止用樹脂部材である。」（段落【０００１】〜【０００３】）
　「【０００９】【実施例】以下、図面を参照して、この発明の一実施例を詳細に説明する。
【００１０】即ち、この発明によるＬＥＤランプは図１に示すように構成され、図中の符号１はマウント用導出リードである。このマウント用導出リード１の一端には、楕円形のＬＥＤマウント部２が一体に設けられている。このＬＥＤマウント部２上には、２個のＬＥＤチップ例えば赤色ＬＥＤチップ３と緑色ＬＥＤチップ４が、楕円の長軸に沿わない位置に固着されている。更に、マウント用導出リード１の両側には、ボンディング用導出リード５，６が所定間隔で配設されている。これらボンディング用導出リード５，６は、それぞれ赤色ＬＥＤチップ３と緑色ＬＥＤチップ４にボンディングワイヤ７，８を介して接続されている。」（段落【０００９】〜【００１０】）
「・・・・マウント用導出リード１、ＬＥＤチップ３，４、及びボンディング用導出リード５，６は、・・・・図示しない封止用樹脂部材により封止固定されていることは、言うまでもない。
【００１３】上記のようなこの発明のＬＥＤランプを用いて、図５と同様に、プリント基板上に複数のＬＥＤランプを縦横のマトリクス状に実装してＬＥＤ表示器を構成する。この場合、図５のｙ軸と図１の直線ｙ１とが一致する。これにより、赤色と緑色の発光パターン、つまりｙ軸を中心にしてＬＥＤ表示器を回転させた場合の指向性は、赤色、緑色共に左右対称に近いパターンとなり、同時点灯時の混色についても左右で変化が少なくなる。その結果、色調の変化が小さくなる。
【００１４】このようなＬＥＤ表示器をパネル上に縦横に隙間なく配置することにより、面，或いは縦一列，横一列のみのＬＥＤディスプレイパネルが形成される。この場合、ｙ軸をＬＥＤディスプレイパネルの鉛直方向に向けることにより、水平方向の色調変化が小さくなる。つまり、この発明のＬＥＤディスプレイパネルでは、各ＬＥＤランプの各ＬＥＤチップ３，４の中心を結ぶ直線ｙ１が、パネル正面から向かって鉛直方向に配列されている訳である。
【００１５】尚、上記実施例では２個のＬＥＤチップ３，４を有するＬＥＤランプについて述べたが、図２に示すように３個のＬＥＤチップ３，４，９を有し、ＬＥＤチップ９にボンディングワイヤ１０を介して接続されたボンディング用導出リード１１を有するＬＥＤランプでも良い。この場合は、赤色，緑色，青色の３原色により表示が可能である。そして、このＬＥＤランプを用いてＬＥＤ表示器を構成した場合、直線ｙ２が図５のｙ軸と一致する。
【００１６】又、マウント用導出リード１のＬＥＤマウント部の形状も、図３に示すようにＬＥＤチップ３，４を固着し易いように、各導出リード１，５，６の整列方向に対して４５°傾いた直線上に長軸を持つ楕円状ＬＥＤマウント部１２であっても良い。そして、このＬＥＤランプを用いてＬＥＤ表示器を構成した場合、各導出リード１，５，６の整列方向ｙ３が図５のｙ軸と一致する。更に、ＬＥＤ表示器の後方に、駆動回路基板を設けても良い。
【００１７】【発明の効果】この発明によれば、ＬＥＤ表示器やディスプレイパネル構成時に水平方向の色調変化を小さくすることが出来る。」（段落【００１２】〜【００１７】）
　また、図５には複数のＬＥＤランプが縦横にマトリクス状に配置されたＬＥＤディスプレイパネルについて、図１には２個のＬＥＤチップを有するＬＥＤランプについて、図２〜３には３個のＬＥＤチップを有するＬＥＤランプについて、示されている。
　以上の記載からすれば、引用例には、「複数のＬＥＤランプが縦横にマトリクス状に配置され、各々のＬＥＤランプが赤色、緑色、青色の３原色のＬＥＤチップを固着し封止用樹脂により封止したマウント部とボンディング用導出リードとを有するようにしたＬＥＤディスプレイパネル」が記載されているものと認める。
　　　　
３．対比、判断
　本願発明と引用例に記載のものとを対比すると、引用例に記載のものにおける「ボンディング用導出リード」、「ＬＥＤディスプレイパネル」は、それぞれ本願発明における「電気接続のためのリード端子」、「ＬＥＤモジュール」に相当するものであり、引用例に記載のものにおける「赤色、緑色、青色の３原色のＬＥＤチップを固着し封止用樹脂により封止したマウント部とボンディング用導出リードとを有するＬＥＤランプ」は、本願発明における「リードフレームを用いて構成された多色ＬＥＤ」と同等であり、また、３色以上のＬＥＤチップからなるＬＥＤランプの場合、ボンディング用端子を４本以上有することは当然であるから、本願発明と引用例に記載のものとは、「リードフレームを用いて構成された電気接続のためのリード端子を有する多色ＬＥＤが、マトリックス状に実装されたＬＥＤモジュールにおいて、前記多色ＬＥＤが前記リード端子を４本以上有した光の三原色を含む３色以上のＬＥＤチップから成るＬＥＤモジュール」である点において一致するが、次の点において相違する。
ａ．本願発明において、多色ＬＥＤが「高密度実装」されているのに対し、引用例においては、ＬＥＤランプが特に高密度実装されることについて明記していない点。
ｂ．本願発明において、「多色ＬＥＤの各々が、リード端子をリードフレームの板厚方向に、交互に反対方向に折り曲げて先端部分の平行間隔を広くしたものである」のに対し、引用例に記載のものにおいては、ボンディング用導出をリードフレームの板厚方向に、交互に反対方向に折り曲げて先端部部の平行間隔を広くするようにはしていない点。
　そこで、上記相違点について検討する。
相違点ａについて：
　ＬＥＤランプをどの程度の個数で、どの程度の密度で実装するかは、ＬＥＤディスプレイの表示の精細度に応じて設定すべきことであり、この点は必要に応じて適宜考慮し得る事項にすぎず、何ら格別なものではない。
相違点ｂについて：
　多数のボンディング用導出リードを有する半導体装置において、ボードへの実装を容易にするために、ボンディング用導出リードをリードフレームの板厚方向に、交互に反対方向に折り曲げて先端部分の平行間隔を広くすることは、ＬＥＤに限らず従来用いられている周知の手段であり（例えば、特開平４−１１１３２６号公報、特開昭６２−１３６０６０号公報を参照）、また、ＺＩＰ（ｚｉｇ−ｚａｇ　ｉｎｌｉｎｅ　ｐａｃｋａｇｅ）としてＥＩＡＪにおいて規格化されているものでもある。
　そして、多数のボンディング用導出リードを有する素子を実装することに関しては、ＬＥＤランプの場合も、一般の半導体装置の場合と同様であるから、引用例に記載のものにおけるＬＥＤランプのボンディング用導出リードをリードフレームの板厚方向に、交互に反対方向に折り曲げて先端部分の平行間隔を広くすることは、上記の半導体装置において周知の事項を勘案すれば、当業者が容易に想到し得るところである。
　また、相違点ａ及びｂを総合しても、何ら格別な技術的特徴は認められない。
　　　
４．むすび
　以上のとおりであるから、本願発明は、引用例に記載された発明及び周知の事項に基づいて当業者が容易に発明をすることができたものであるので、特許法第２９条第２項の規定により特許を受けることができない。
　よって、結論のとおり審決する。